(57)【要約】【課題】外観意匠性に優れた収納容器を扉に備えた冷蔵庫を提供する。【解決手段】貯蔵室２を開閉する扉２ａと、扉２ａの内面を構成する扉内面部材２ｃと、扉内面部材２ｃの左右端部の上下方向に設けた縦縁部２ｄと、縦縁部２ｄに左右の両端が支持された収納容器１７と、を備え、収納容器１７は、扉２ａの幅方向に第一収納部１７ａと第二収納部１７ｂを有し、第一収納部１７ａは第二収納部１７ｂより底面が高い位置であって、第一収納部１７ａと第二収納部１７ｂを仕切る仕切部１７ｃを貯蔵室２側の側壁である第一側壁１７ｄと扉内面部材２ｃ側の側壁である第二側壁１７ｆとの間に有し、仕切部１７ｃと第一側壁１７ｄとの間に隙間を形成した。【選択図】図５
2015094508.tif 000002
【特許請求の範囲】
【請求項１】
貯蔵室を開閉する扉と、該扉の内面を構成する扉内面部材と、該扉内面部材の左右端部の上下方向に設けた縦縁部と、該縦縁部に左右の両端が支持された収納容器と、を備え、
前記収納容器は、前記扉の幅方向に第一収納部と第二収納部を有し、前記第一収納部は前記第二収納部より底面が高い位置であって、前記第一収納部と前記第二収納部を仕切る仕切部を前記貯蔵室側の側壁である第一側壁と前記扉内面部材側の側壁である第二側壁との間に有し、前記仕切部と前記第一側壁との間に隙間を形成したことを特徴とする冷蔵庫。
【請求項２】
前記第一側壁は、前記仕切部と対向する位置から前記第二収納部に向けて高さ位置が次第に低くなる傾斜部を有することを特徴とする、請求項１記載の冷蔵庫。
【請求項３】
前記仕切部の上端部は曲面形状としたことを特徴とする、請求項１又は２記載の冷蔵庫。
【請求項４】
前記左右の縦縁部間に第一の支持部及び第二の支持部を有し、前記第一の支持部によって前記第一収納部の底面を支持し、前記第二の支持部によって前記第二収納部の底面を支持し、前記扉内面部材の前記左右の縦縁部近傍、前記扉前面部材の上下端部近傍、前記第一の支持部及び前記第二の支持部の対向する位置に真空断熱材を備えたことを特徴とする、請求項１記載の冷蔵庫。
【発明の詳細な説明】
【技術分野】
【０００１】
本発明は、冷蔵庫に関する。
【背景技術】
【０００２】
本技術分野の背景技術として、特開平１１−１０８５４５号公報（特許文献１）がある。
【０００３】
特許文献１の要約欄には、「扉内板の容器取付部に容器の両側部の係合位置高さを互いに異ならせ、容器に冷蔵庫幅方向の高さ位置段差を設け、容器の片側底部に穴を設けて該穴を通して下方容器とともに瓶類収納容器とし、この２個の容器を係合させ配設し、扉の開く側に応じて瓶類収納容器を冷蔵庫扉のヒンジ側に配設できるようにする。」と記載がある。
【先行技術文献】
【特許文献】
【０００４】
【特許文献１】特開平１１−１０８５４５号公報
【発明の概要】
【発明が解決しようとする課題】
【０００５】
特許文献１では、冷蔵庫幅方向の高さ位置段差を形成する区画壁が、容器の対向する側壁（後面壁及び前面壁）に結合して一体成形されている。そのため、容器を樹脂で構成する場合、容器の側壁と区画壁の結合部において「ひけ」が生じて、容器にへこみや窪みが生じて、外観意匠性を低下させるおそれがある。ここで、ひけとは、金型成形する樹脂が高温状態から冷却される際に収縮することで生じる、へこみや窪みのことである。
【０００６】
そこで本発明は、外観意匠性に優れた収納容器を扉に備えた冷蔵庫を提供する。
【課題を解決するための手段】
【０００７】
上記課題を解決するために、例えば特許請求の範囲に記載の構成を採用する。本願は上記課題を解決する手段を複数含んでいるが、その一例を挙げるならば、貯蔵室を開閉する扉と、該扉の内面を構成する扉内面部材と、該扉内面部材の左右端部の上下方向に設けた縦縁部と、該縦縁部に左右の両端が支持された収納容器と、を備え、前記収納容器は、前記扉の幅方向に第一収納部と第二収納部を有し、前記第一収納部は前記第二収納部より底面が高い位置であって、前記第一収納部と前記第二収納部を仕切る仕切部を前記貯蔵室側の側壁である第一側壁と前記扉内面部材側の側壁である第二側壁との間に有し、前記仕切部と前記第一側壁との間に隙間を形成したことを特徴とする。
【発明の効果】
【０００８】
本発明によれば、外観意匠性に優れた収納容器を扉に備えた冷蔵庫を提供する。
【０００９】
上記した以外の課題、構成及び効果は以下の実施形態の説明により明らかにされる。
【図面の簡単な説明】
【００１０】
【図１】本発明の実施形態に係る冷蔵庫であって冷蔵室扉が開放した状態の正面図である。
【図２】本発明の実施形態に係る冷蔵室扉の貯蔵室側からの斜視図である。
【図３】図２の冷蔵室扉から収納容器を取り外した状態の斜視図である。
【図４】図３の冷蔵室扉を構成する扉内面部材の断熱空間側からの斜視図である。
【図５】本発明の実施形態に係る収納容器の斜視図である。
【図６】図５のＡ−Ａ断面図である。
【発明を実施するための形態】
【００１１】
以下、本発明の一実施形態を図１から図６に基づいて説明する。
【００１２】
図１は、本発明の実施形態に係る冷蔵庫であって冷蔵室扉が開放した状態の正面図である。
【００１３】
図１において、冷蔵庫本体１は食品の貯蔵室として上から冷蔵室２、横並びの製氷室３及び上段冷凍室４、下段冷凍室５、野菜室６の順に配置されている。そして、これらの各貯蔵室は前面の開口を閉塞するための扉２ａ、３ａ、４ａ、５ａ、６ａがそれぞれ取り付けられている。冷蔵室２の前面開口を閉塞する冷蔵室扉２ａは１枚の扉であり、冷蔵庫本体１の正面視で右側に設けたヒンジ２ｂによって回動可能に保持されている。なお、図１とは逆に冷蔵庫本体１の正面視で左側に設けた左ヒンジによって回動可能な構成であってもよい。
【００１４】
冷蔵室扉２ａ以外の扉３ａ、４ａ、５ａ、６ａは、前後方向に移動して各貯蔵室の開口を閉塞する引出し式扉となっている。これら扉２ａ〜６ａの前面は、扉前面部材である透光性部材の一例としてガラス板７で構成することで、傷が付きにくく汚れが拭き取り易い。また、ガラス板７を強化処理ガラスによって構成することで、耐久性や強度を向上できる。なお、扉前面部材はガラス板７に限らず、鋼板や樹脂によって構成してもよい。
【００１５】
図示していないが、各扉２ａ〜６ａを構成する扉内面部材２ｃとガラス板７との間に真空断熱材（図示せず）が配置されて、さらに発泡断熱材（図示せず）が充填されて断熱空間を構成している。
【００１６】
図１においては、冷蔵室扉２ａが開放状態となっている。この冷蔵室扉２ａの貯蔵室側には卵、飲料水或いは調味料等が収納できる収納容器１７、８ａ、８ｂが上下方向に複数段配置されている。
【００１７】
冷蔵室２内には、貯蔵空間を上下方向に複数段に区画して食品を載置する棚１２が配置されている。この棚１２は、冷蔵室２の内壁面を形成する内箱１ｂに形成されたレール（図示せず）上をスライドし、取り外しすることが可能である。
【００１８】
冷蔵室２の棚１２で区画された最下段の空間には、減圧状態で食品を保存することで鮮度保持する減圧室９が配置されている。また、この減圧室９の隣には、製氷室３の製氷皿（図示せず）に給水する給水タンク１０が配置されている。なお、減圧室９に代えて、チルド温度帯や氷温温度帯の貯蔵室を構成してもよい。
【００１９】
冷蔵室２の上壁には、貯蔵室内を照明する照明手段１１が取り付けられている。照明手段１１は、ＬＥＤやキセノンランプ等を採用できる。
【００２０】
冷蔵室２内の背面には、ダクト構成部材１３によって冷蔵室送風ダクト１４が形成されている。このダクト構成部材１３は、冷蔵室２の背面から前方に円弧状に張り出した形状となっており、その表面には各棚１２或いは収納容器１７、８ａ、８ｂに冷気が行き渡るように複数の冷気吹き出し口１３ａが設けられている。
【００２１】
次に、図２は、本発明の実施形態に係る冷蔵室扉の貯蔵室側からの斜視図である。図３は、図２の冷蔵室扉から収納容器を取り外した状態の斜視図である。図４は、図３の冷蔵室扉を構成する扉内面部材の断熱空間側からの斜視図である。
【００２２】
図２において、冷蔵室扉２ａは、扉内面部材２ｃとガラス板７とが枠１５によって連結されている。この扉内面部材２ｃとガラス板７との間に形成された空間には、後述する真空断熱材１６が配置されて、さらに発泡断熱材（図示せず）が充填されることで、断熱空間を構成している。
【００２３】
扉内面部材２ｃは、冷蔵室２側に突出した縦縁部２ｄを、左右端部の上下方向にそれぞれ一体に成形している。
【００２４】
収納容器１７は樹脂で一体成形した構成であり、縦縁部２ｄに左右の両端が支持されている。この収納容器１７は、冷蔵室扉２ａの幅方向に第一収納部１７ａと第二収納部１７ｂを有している。ヒンジ２ｂ（図１参照）側の第一収納部１７ａは、ヒンジ２ｂと反対側の第二収納部１７ｂより底面が高い位置となっている。換言すると、第二収納部１７ｂは、第一収納部１７ａよりも底面が低い位置となっている。これにより、第一収納部１７ａと第二収納部１７ｂで高さの異なる食品（調味料、ビン類、缶類、ペットボトル類等）を分けて収納することができるようになっている。
【００２５】
なお、収納容器１７の下方に位置する収納容器８ｃ，８ｄは、底面に段差を有さないフラットな形状であって、左右の縦縁部２ｄに支持されている。
【００２６】
図３において、左右の縦縁部２ｄ間には、水平方向の第一の支持部１８及び第二の支持部１９が、扉内面部材２ｃの冷蔵室２側に突出してそれぞれ異なる高さ位置に形成されている。第一の支持部１８は第二の支持部１９よりも高い位置にあり、第一の支持部１８によって第一収納部１７ａ底面を支持する構成である。同様に、第二の支持部１９によって第二収納部１７ｂ底面を支持する構成である。
【００２７】
なお、第一の支持部１８と第二の支持部１９は、内部に発泡断熱材が充填される構成が好適であるが、突出寸法が５ｍｍ程度であることから、発泡断熱材が充填されなくとも断熱性能及び強度の低下は抑制できる。
【００２８】
次に、図４に基づき真空断熱材について説明する。本実施形態では、扉前面部材をガラス板７で構成した場合、ガラス板７の背面に真空断熱材１６を接着剤又は両面テープで貼り付ける。この場合、ガラス板７は剛性が高く、真空断熱材１６を貼り付けてもガラス板７は変形しない。
【００２９】
一方、扉前面部材をガラス板７ではなく、鋼板又は樹脂で構成した場合、真空断熱材１６を鋼板又は樹脂に貼り付けると、真空断熱材１６の凹凸形状が扉前面部材の外側に表れて、外観意匠性を低下させるおそれがある。そこで、扉前面部材を鋼板又は樹脂で構成する場合、真空断熱材１６を扉内面部材２ｃに貼り付けるか、扉前面部材と扉内面部材２ｃとの間に配置する構成とすれば、外観意匠性の低下を抑えられる。この場合、真空断熱材１６に対向する第一の支持部１８及び第二の支持部１９には、発泡断熱材が充填されない場合がある。しかし、既述のとおり、第一の支持部１８及び第二の支持部１９の突出寸法が５ｍｍ程度であることから、発泡断熱材が充填されなくとも断熱性能及び収納容器１７の支持強度の低下は抑制できる。
【００３０】
換言すると、発泡断熱材の流動のための空間を真空断熱材１６と扉内面部材２ｃの間に特別設ける必要がなく、第一の支持部１８及び第二の支持部１９の対向する位置と、扉内面部材２ｃの左右の縦縁部２ｄ近傍、上下端部近傍まで真空断熱材１６を配置できるため、冷蔵室扉２ａに対する真空断熱材１６の占有面積が拡大して、冷蔵室扉２の断熱性能を向上することができる。
【００３１】
次に、収納容器１７の構成を詳述する。図５は、本発明の実施形態に係る収納容器の斜視図である。図６は、図５のＡ−Ａ断面図である。
【００３２】
図５，図６において、収納容器１７は、第一収納部１７ａと第二収納部１７ｂとを有した樹脂の一体成形で構成されている。第一収納部１７ａと第二収納部１７ｂとの間には、両収納部を仕切る仕切部１７ｃが形成されている。この仕切部１７ｃは、第一収納部１７ａの底面から上方向に配置しており、仕切部１７ｃの下端部は第二収納部１７ｂの側壁（第一収納部１７ａ側に位置する側壁）を上方に延長した位置に構成されている。
【００３３】
ここで、樹脂による金型成形の場合、樹脂が高温の液体から温度低下して硬化する際に収縮することで、表面に凹凸形状が現れる、所謂「ひけ」を考慮する必要がある。
【００３４】
そこで本実施形態では、仕切部１７ｃと冷蔵室２側の側壁である第一側壁１７ｄとの間に隙間１７ｅを形成している。これにより、樹脂の収縮によるひけが、仕切部１７ｃの前端及び第一側壁１７ｄに現れないようにしている。
【００３５】
一方、仕切部１７ｃと扉内面部材２ｃ側の側壁である第二側壁１７ｆとは連結している。これにより、収納容器１７は所定の強度を確保しつつ、第一側壁１７ｄと仕切部１７ｃにひけによる凹凸形状が使用者に視認され易い箇所に現れることを抑制して意匠性を向上できる。なお、第二側壁１７ｆは扉内面部材２ｃに接するか近接しているので、仕切部１７ｃと第二側壁１７ｆを連結してひけが生じたとしても、使用者からは視認されにくい。
【００３６】
また、第一側壁１７ｄは、第一収納部１７ａの底面から所定高さに上端部が位置しており、第二収納部１７ｂの底面からも所定高さに上端部が位置している。第一収納部１７ａ前方の第一側壁１７ｄの上端部は、第二収納部１７ｂ前方の第一側壁１７ｄの上端部よりも上方に位置している。また、第二収納部１７ｂ前方の第一側壁１７ｄの上端部は、第一収納部１７ａの底面とほぼ同じ高さ位置にある。これにより、第一収納部１７ａよりも深さのある第二収納部１７ｂの底面から第一側壁１７ｄの上端部までが過度に高くならないため、第二収納部１７ｂに食品を出し入れするとき、第一側壁１７ｄに食品が接触することを低減することができる。
【００３７】
また、第一側壁１７ｄは、仕切部１７ｃと対向する位置から第二収納部１７ｂに向けて高さ位置が次第に低くなる傾斜部１７ｇを有する。これにより、深さの異なる第一収納部１７ａと第二収納部１７ｂとに跨って位置する第一側壁１７ｄは、段差となる部分に角部が形成されないため、食品の出し入れ時に食品や使用者の手指が接触しても、安全性を高めることができる。
【００３８】
仕切部１７ｃに対向する部分の第一側壁１７ｄは、ほぼ同じ高さ位置としている。また、仕切部１７ｃの第一側壁１７ｄに対向する上端部１７ｃ１は曲面形状としている（図６参照）。これにより、収納する食品が仕切部１７ｃの上端部１７ｃ１に接触した場合でも、食品の傷付きを抑制することができる。また、仕切部１７ｃの上端部１７ｃ１の割れや欠け等の破損を抑制することができる。
【００３９】
第一側壁１７ｄと第二側壁１７ｆは、非対称の形状としている。すなわち、第一側壁１７ｄには傾斜部１７ｇを有し仕切部１７ｃと連結していないが、第二側壁１７ｆは仕切部１７ｃと連結しており、この連結部近傍以外は第一側壁１７ｄよりも低い高さとなっている。これは、第二側壁１７ｆに近接又は接触して扉内面部材２ｃが位置するためであり、扉内面部材２ｃが収納容器１７の壁面を兼ねるためである。また、収納容器１７内に収納した食品の液体等が滴下する恐れがあるため、本実施形態では扉内面部材２ｃに加えて第二側壁１７ｆを有することによって液だれ防止を図っている。
【００４０】
本発明は以上説明したように構成されたものであるから、以下の効果を得ることができる。
【００４１】
すなわち、貯蔵室を開閉する扉と、該扉の内面を構成する扉内面部材と、該扉内面部材の左右端部の上下方向に設けた縦縁部と、該縦縁部に左右の両端が支持された収納容器と、を備え、前記収納容器は、前記扉の幅方向に第一収納部と第二収納部を有し、前記第一収納部は前記第二収納部より底面が高い位置であって、前記第一収納部と前記第二収納部を仕切る仕切部を前記貯蔵室側の側壁である第一側壁と前記扉内面部材側の側壁である第二側壁との間に有し、前記仕切部と前記第一側壁との間に隙間を形成する。これにより、樹脂の収縮によるひけが、仕切部１７ｃ及び前壁１７ｄに現れないようにして、外観意匠性を向上することができる。
【００４２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能である。また、各実施例の構成の一部について、他の構成の追加・削除・置換をすることが可能である。
【符号の説明】
【００４３】
１…冷蔵庫本体、２…冷蔵室（貯蔵室）、２ａ…冷蔵室扉（扉）、２ｃ…扉内面部材、２ｄ…縦縁部、７…ガラス板（扉前面部材）、８ａ、８ｂ…収納容器、１５…枠、１６…真空断熱材、１７…収納容器、１７ａ…第一収納部、１７ｂ…第二収納部、１７ｃ…仕切部、１７ｄ…第一側壁（冷蔵室２側の側壁）、１７ｅ…隙間、１７ｆ…第二側壁（扉内面部材２ｃ側の側壁）、１７ｇ…傾斜部、１８…第一の支持部、１９…第二の支持部
【図１】
2015094508.tif 000003
【図２】
2015094508.tif 000004
【図３】
2015094508.tif 000005
【図４】
2015094508.tif 000006
【図５】
2015094508.tif 000007
【図６】
2015094508.tif 000008